【手続補正書】
【提出日】平成24年7月27日(2012.7.27)
【手続補正１】
【補正対象書類名】特許請求の範囲
【補正対象項目名】全文
【補正方法】変更
【補正の内容】
【特許請求の範囲】
【請求項１】
画像ファイルを記憶する記憶媒体と、
画像ファイルを管理する画像管理装置と通信する通信手段と、
画像処理装置の識別情報と、前記記憶媒体の記憶容量とを当該画像管理装置へ送信する送信手段と、
前記通信手段を介して前記画像管理装置から当該画像管理装置の識別情報と、確定した予約容量とを受信する受信手段と、
前記画像管理装置から受信した識別情報と、確定した予約容量とを対応付けて記憶する記憶手段と、を有することを特徴とする画像処理装置。
【請求項２】
前記送信手段は、前記記憶媒体に記憶している画像ファイルを前記画像管理装置に保存するために当該画像管理装置の記憶容量を予め確保するための容量予約要求を当該画像管理装置へ送信することを特徴とする請求項１に記載の画像処理装置。
【請求項３】
前記画像管理装置から受信した識別情報と、確定した予約容量とを含む予約テーブルを作成する作成手段と、
前記画像管理装置において算出された保存可能容量を取得し、当該保存可能容量に基づいて前記画像管理装置への画像ファイルの保存を行う保存手段と、
前記画像管理装置へ保存した画像ファイルのサイズに基づき、前記予約テーブルを更新する更新手段と、を更に有することを特徴とする請求項２に記載の画像処理装置。
【請求項４】
前記保存手段は、前記保存可能容量が未保存の画像ファイルのサイズよりも小さい場合、当該未保存の画像ファイルを前記画像管理装置における予約されていない記憶領域へ保存することを特徴とする請求項３に記載の画像処理装置。
【請求項５】
前記画像処理装置は、前記画像管理装置との通信が確立したことに応じて、前記送信手段による送信処理および前記受信手段による受信処理を実行することを特徴とする請求項１ないし４のいずれか１項に記載の画像処理装置。
【請求項６】
画像ファイルを記憶する記憶手段と、
画像ファイルを生成する画像処理装置と通信する通信手段と、
前記通信手段を介して前記画像処理装置から当該画像処理装置の識別情報と、前記画像処理装置の記憶媒体の記憶容量とを受信する受信手段と、
前記受信手段で受信した記憶媒体の記憶容量に応じた記憶領域を、前記画像処理装置以外の機器から受信したデータの記録に使用しないように制御する制御手段と、を有することを特徴とする画像管理装置。
【請求項７】
前記受信手段は更に、前記通信手段を介して前記画像処理装置から当該画像処理装置に記憶している画像ファイルを前記記憶手段に保存するために当該記憶手段の記憶容量を予め確保するための容量予約要求を受信し、
前記画像管理装置は、
前記記憶手段の空き領域の記憶容量と前記容量予約要求に応じた記憶容量とに基づき、予約容量を決定する決定手段と、
前記決定手段により決定された予約容量と、前記画像ファイルを保存するために必要な最低限の記憶容量とに基づいて予約の可否を判定する判定手段と、
前記判定手段による判定の結果を通知する通知手段と、を更に有することを特徴とする請求項６に記載の画像管理装置。
【請求項８】
前記受信手段は、前記通信手段を介して前記画像処理装置から当該装置の識別情報及び最大記憶容量を受信し、
前記画像管理装置は、
前記画像処理装置から受信した装置の識別情報及び最大記憶容量と、前記決定された予約容量とを含む予約管理テーブルを作成する作成手段を更に備えることを特徴とする請求項７に記載の画像管理装置。
【請求項９】
前記画像処理装置から受信した前記容量予約要求に応じた記憶容量と、前記予約管理テーブルに登録された予約容量とから前記記憶媒体の保存可能容量を算出する算出手段と、
前記算出された保存可能容量を前記画像処理装置へ送信する送信手段と、を更に有することを特徴とする請求項８に記載の画像管理装置。
【請求項１０】
前記算出された保存可能容量が未保存の画像ファイルのサイズよりも小さい場合、当該未保存の画像ファイルを前記画像管理装置における予約されていない記憶領域へ保存する保存手段を更に有することを特徴とする請求項９に記載の画像管理装置。
【請求項１１】
前記画像管理装置は、前記画像処理装置との通信が確立したことに応じて、前記受信手段による受信処理および前記送信手段による送信処理を実行することを特徴とする請求項９に記載の画像管理装置。
【請求項１２】
画像ファイルを生成する画像処理装置と、画像ファイルを管理する画像管理装置とが通信する画像管理システムであって、
前記画像処理装置は、
画像ファイルを記憶する記憶媒体と、
前記画像ファイルを管理する画像管理装置と通信する通信手段と、
前記画像処理装置の識別情報と、前記記憶媒体の記憶容量とを当該画像管理装置へ送信する送信手段と、
前記通信手段を介して前記画像管理装置から当該画像管理装置の識別情報と、確定した予約容量とを受信する受信手段と、
前記画像管理装置から受信した識別情報と、確定した予約容量とを対応付けて記憶する記憶手段と、を有し、
前記画像管理装置は、
画像ファイルを記憶する記憶手段と、
前記画像ファイルを生成する画像処理装置と通信する通信手段と、
前記通信手段を介して前記画像処理装置から当該画像処理装置の識別情報と、前記画像処理装置の記憶媒体の記憶容量とを受信する受信手段と、
前記受信手段で受信した記憶媒体の記憶容量に応じた記憶領域を、前記画像処理装置以外の機器から受信したデータの記録に使用しないように制御する制御手段と、を有することを特徴とする画像管理システム。
【請求項１３】
画像ファイルを記憶する記憶媒体と、画像ファイルを管理する画像管理装置と通信する通信手段と、を有する画像処理装置における画像管理方法であって、
前記画像処理装置の識別情報と、前記記憶媒体の記憶容量とを当該画像管理装置へ送信する送信工程と、
前記通信手段を介して前記画像管理装置から当該画像管理装置の識別情報と、確定した予約容量とを受信する受信工程と、
前記画像管理装置から受信した識別情報と、確定した予約容量とを対応付けて記憶する記憶工程と、を有することを特徴とする画像管理方法。
【請求項１４】
画像ファイルを記憶する記憶媒体と、画像ファイルを生成する画像処理装置と通信する通信手段と、を有する画像管理装置における画像管理方法であって、
前記通信手段を介して前記画像処理装置から当該画像処理装置の識別情報と、前記画像処理装置の記憶媒体の記憶容量とを受信する受信工程と、
前記受信工程で受信した記憶媒体の記憶容量に応じた記憶領域を、前記画像処理装置以外の機器から受信したデータの記録に使用しないように制御する制御工程と、を有することを特徴とする画像管理方法。
【請求項１５】
請求項１３又は１４に記載の画像管理方法をコンピュータに実行させるためのプログラム。
【手続補正２】
【補正対象書類名】明細書
【補正対象項目名】０００５
【補正方法】変更
【補正の内容】
【０００５】
上記課題を解決するために、本発明の画像処理装置は、画像ファイルを記憶する記憶媒体と、画像ファイルを管理する画像管理装置と通信する通信手段と、画像処理装置の識別情報と、前記記憶媒体の記憶容量とを当該画像管理装置へ送信する送信手段と、前記通信手段を介して前記画像管理装置から当該画像管理装置の識別情報と、確定した予約容量とを受信する受信手段と、前記画像管理装置から受信した識別情報と、確定した予約容量とを対応付けて記憶する記憶手段と、を有する。